(57)【特許請求の範囲】
【請求項１】
長手方向に延びるベースに形成された通路に綴じ足を挿入した状態で当該綴じ足に綴じ込み力を付与することのできる綴じ具において、
前記ベースは、長手方向に沿って相対移動可能に設けられるとともに、前記通路を形成可能な複数のベース形成部材を備え、
前記各ベース形成部材は、これらを相対移動させたときに移動する少なくとも一個の操作部をそれぞれ備え、これら各操作部を所定操作することで綴じ足の押さえ付けと当該押さえ付けの解除を可能としたことを特徴とする綴じ具。
【請求項２】
長手方向に延びるベースに形成された通路に綴じ足を挿入した状態で当該綴じ足に綴じ込み力を付与することのできる綴じ具において、
前記ベースは、長手方向に沿って相対移動可能に設けられるとともに、前記通路を形成可能な複数のベース形成部材を備え、
前記各ベース形成部材は、これらを相対移動させたときに移動する第１及び第２の操作部をそれぞれ備えているとともに、第１の操作部を相互に接近する方向に操作したときに第２の操作部が離間する方向に移動して当該第２の操作部が綴じ足を綴じ込み位置に押さえ付ける一方、第２の操作部を接近する方向に移動したときに前記押さえ付けを解除すると同時に第１の操作部が離間する方向に移動することを特徴とする綴じ具。
【請求項３】
前記各ベース形成部材は共通した形状に設けられ、これらベース形成部材を組み合わせることによって前記ベースが形成されていることを特徴とする請求項１又は２記載の綴じ具。
【発明の詳細な説明】
【０００１】
【発明の属する技術分野】
本発明は綴じ具に係り、更に詳しくは、ベースに沿う位置に綴じ足を倒伏することで綴じ込み力を付与することのできる綴じ具の改良に関する。
【０００２】
【従来の技術】
従来より、フラットファイルと称されるファイルは、板状に延びる細長い片状のベースと、このベースの長手方向二箇所に設けられた穴からなる綴じ足用の通路と、ベース上面側に設けられて通路を開放する位置と閉塞する位置にスライド可能となる押さえ部材とを備えて構成されている。この綴じ具は、押さえ部材が相互に離れる方向に移動したときに、綴じ足を倒伏姿勢に保って綴じ込み力を付与する一方、押さえ部材を相互に接近させる方向に移動したときに、綴じ足を通路から抜き出すことができるようになっている。
【０００３】
【発明が解決しようとする課題】
しかしながら、このような綴じ具にあっては、例えば、ベースに綴じ足を挿入した後に、一方の手の親指と人差し指との二本指だけで綴じ込み操作をすることが困難になるという不都合がある。これは、綴じ足に綴じ込み力を付与する際に、各押さえ部材を相互に離れる方向に操作しなければならないことに起因する。
【０００４】
【発明の目的】
本発明は、このような不都合に着目して案出されたものであり、その目的は、操作力を付与する方向を一方向とする設計を採用することに適した綴じ具を提供することにある。
【０００５】
【課題を解決するための手段】
前記目的を達成するため、本発明は、長手方向に延びるベースに形成された通路に綴じ足を挿入した状態で当該綴じ足に綴じ込み力を付与することのできる綴じ具において、
前記ベースは、長手方向に沿って相対移動可能に設けられるとともに、前記通路を形成可能な複数のベース形成部材を備え、
前記各ベース形成部材は、これらを相対移動させたときに移動する少なくとも一個の操作部をそれぞれ備え、これら各操作部を所定操作することで綴じ足の押さえ付けと当該押さえ付けの解除を可能とする、という構成を採っている。このような構成によれば、例えば、各ベース形成部材の長手方向二箇所に操作部を設けた場合には、綴じ足の押さえ付け及びその解除の両方の操作を接近させる操作すなわち摘み操作によって行うことができ、これにより、各操作時の操作力を一方向として綴じ込み及びその解除作業を容易且つ迅速に行うことができるばかりでなく、指先による操作力を各操作部に容易に付与することが可能となる。
【０００６】
また、本発明は、長手方向に延びるベースに形成された通路に綴じ足を挿入した状態で当該綴じ足に綴じ込み力を付与することのできる綴じ具において、
前記ベースは、長手方向に沿って相対移動可能に設けられるとともに、前記通路を形成可能な複数のベース形成部材を備え、
前記各ベース形成部材は、これらを相対移動させたときに移動する第１及び第２の操作部をそれぞれ備えているとともに、第１の操作部を相互に接近する方向に操作したときに第２の操作部が離間する方向に移動して当該第２の操作部が綴じ足を綴じ込み位置に押さえ付ける一方、第２の操作部を接近する方向に移動したときに前記押さえ付けを解除すると同時に第１の操作部が離間する方向に移動する、という構成を採ることができる。このような構成を採用すれば、第１及び第２の操作部の何れか一方を接近する方向に操作したときに、何れか他方の操作部が離間する方向に移動するので、綴じ足の押さえ付け及びその解除作業を常に接近させる方向の操作によって行うことができ、これによっても、各操作時における操作力の付与方向を同一として操作の簡略化を図ることができる。
【０００７】
【発明の実施の形態】
本発明における前記各ベース形成部材は共通した形状に設けられ、これらベース形成部材を組み合わせることによって前記ベースが形成される、という構成も好ましくは採用される。このような構成によれば、ベースを構成する部品の種類を少なくして構造の簡略化を図ることができ、コスト低減を達成することが可能となる。
【０００８】
【実施例】
以下、本発明の実施例を図面を参照しながら説明する。
【０００９】
図１には、第１の実施例に係る綴じ具がファイルに適用された概略斜視図が示され、図２には、前記綴じ具の拡大斜視図が示されている。これらの図において、綴じ具１０は、表紙体１１を構成する裏表紙１１Ａと背表紙１１Ｂとの間を二枚厚に折り畳むことにより設けられた折り畳み部１１Ｃに装着され、当該折り畳み部１１Ｃとの間に書類Ｐが綴じ込み可能に設けられている。この綴じ具１０は、折り畳み部１１Ｃを貫通して表紙体１１の内面に突出する方向に延びるとともに、書類Ｐの二つの綴じ穴Ｐ１（図３参照）に挿通可能に設けられた一対の綴じ足１３，１３と、これら綴じ足１３，１３をそれぞれ挿通させる一対のスロット状の通路１４Ａ，１４Ａを備えたベース１４とを備えて構成されている。
【００１０】
前記各綴じ足１３，１３は、特に限定されるものでないが、本実施例では、ポリエチレン等の樹脂材を用いて成形された屈曲可能な帯状部材により構成されている。各綴じ足１３，１３は、図３及び図４に示されるように、その一面側すなわち倒伏時における下面側に刻み面１６を備えており、これにより、通路１４Ａの内周縁に設けられた爪状突起１４Ｂに噛み合って綴じ足１３とベース１４との相対移動を規制可能となっている。
【００１１】
前記ベース１４は、図５（Ａ）及び図５（Ｂ）にも示されるように、長手方向に延びて相対移動可能に組み合わされる一対のベース形成部材１７，１７により構成されている。各ベース形成部材１７，１７は、ＡＢＳ，ＰＳ，ポリプロピレン等の樹脂材を用いた一体成型品によりそれぞれ構成されており、各ベース形成部材１７，１７の向きを平面視１８０度変えた位置で相互に組み合わせることによりベース１４が形成されている。
【００１２】
前記各ベース形成部材１７は、図６（Ａ）にも示されるように、同図中左右方向に延びるとともに、相互に接触する突き合せ端面２０Ａ（図５（Ａ）参照）を備えた片状の第１の横行部２０と、この第１の横行部２０の右端に連なって右方向に延び、当該第１の横行部２０の略２倍となる短寸方向幅を備えるとともに、面内に前記通路１４Ａが形成された第２の横行部２１と、第１の横行部２０の上面側より突出する位置に設けられた第１の操作部２２と、第１の横行部２０の図６（Ａ）中左端側に設けられた第２の操作部としての綴じ足押さえ部２３とを備えて構成されている。
【００１３】
前記第１の横行部２０は、図７及び図８に示されるように、断面視右上がりの湾曲形状となる片状に設けられているとともに、図９（Ａ）及び図１０にも示されるように、長手方向（図１０中左右方向）略中央位置における下面側に段差形成面２４を備え、この段差形成面２４の位置を境に左右各領域の厚みが異なるように設けられている。すなわち、第１の横行部２０は、段差形成面２４と綴じ足押さえ部２３との間に延びる第１の湾曲片部２５と、段差形成面２４と第２の横行部２１との間に延びるとともに、第１の湾曲片部２５の略２倍となる厚さを備えた第２の湾曲片部２６とを備えている。第２の湾曲片部２６の下面側には、段差形成面２４から第２の横行部２１に向かって延びる第１の突条部２８が設けられている。また、第２の湾曲片部２６の下面側における図６（Ｂ）中下側には、綴じ足押さえ部２３の後述する屈曲部が突き当たる突起２９が設けられ、この突起２９の隣接する位置には、前記下面を若干膨らませることによって形成された隆起部３０が設けられている（図９（Ｂ）参照）。
【００１４】
前記第２の横行部２１は、図６（Ａ）に示されるように、前記第２の湾曲片部２６に連なって通路１４Ａの同図中左上側内周縁を形成する第１の通路形成部３２と、この第１の通路形成部３２の同図中下側に段差３２Ａを介して連なるとともに、通路１４Ａの左下側内周縁を形成する第２の通路形成部３３と、第１及び第２の通路形成部３２，３３の右側に連なって通路１４Ａの右側内周縁を形成するとともに、上面側に倒伏姿勢の綴じ足１３を受容可能な凹溝３４（図１３参照）を備えた第３の通路形成部３５と、第１の突条部２８と略平行に延びるとともに、通路１４Ａを挟んで第１の突条部２８に対称となる位置に設けられた第２の突条部３８と、第１及び第２の突条部２８，３８の図１３中左右両側に位置するとともに、綴じ足押さえ部２３の後述する屈曲部に係り合い可能に設けられた一対のストッパ３９とを備えて構成されている。第１の通路形成部３２は、図８及び図１１に示されるように、第２の湾曲片部２６と略同一となる断面形状に形成されている一方、第２の通路形成部３３は、第１の通路形成部３２の略１／２となる厚さとなるように上面位置が低く設けられている。また、各ストッパ３９，３９は、図１５に示されるように、下向きに突出する突起４０により構成され、当該突起４０の図１５中右側は垂直面４０Ａとして形成されている。
【００１５】
前記第１の操作部２２は、図５（Ａ）に示されるように、各ベース形成部材１７が組み合わされたときに、当該ベース形成部材１７の面内に収まる幅寸法に設定されているとともに、図６（Ａ）に示されるように、同図中上半分領域が前記第２の湾曲片部２６に連なって下半分領域が当該第２の湾曲片部２６からはみ出すように設けられている。また、図１４に示されるように、第１の操作部２２の図中左側下端は、他方のベース形成部材１７における第１の横行部２０の上面に沿って湾曲しており、これにより、第１の横行部２０上で第１の操作部２２をスライド操作可能となっている。また、第１の操作部２２の高さは、綴じ足押さえ部２３と略同一高さに設定されている一方、第１の操作部２２の上面側には、平面視円弧状の滑り防止用突条４１（図６（Ａ）参照）が設けられている。
【００１６】
前記綴じ足押さえ部２３は、図１７及び図１８にも示されるように、組み合わされた他方のベース形成部材１７を抱き込むような形状に設けられている。すなわち、綴じ足押さえ部２３は、前記第１の湾曲片部２５に連なって僅かに起立する起立部４２と、この起立部４２の上端に連なって平面視駒状（図６（Ａ）参照）に形成されるとともに、上面に平面視円弧状の滑り防止用突条４３を備えた上面部４４と、この上面部４４の図１６中左右両側から垂下する一対の垂下面部４６，４６と、これら垂下面部４６，４６の下端に連なって内向きにそれぞれ設けられた爪状の一対の屈曲部４７，４７と、上面部４４の下面より下方に延びるとともに、先端が他方のベース形成部材１７の第２の通路形成部３３上に位置するスペーサ４８とを備えている。図１６中左側の屈曲部４７は、スペーサ４８と相互に作用して前記第２の通路形成部３３の側端を上下方向から挟み込む一方、図１６中右側の屈曲部４７は、上面部４４と相互に作用して第１の通路形成部３２の側端を上下方向から挟み込み、これにより、各ベース形成部材１７を一体的に組み合わせ可能とし、また、綴じ足押さえ部２３の図中紙面直交方向へのスライド移動を許容するようになっている。また、各屈曲部４７，４７は、図１５及び図１６に示されるように、図１５中左右に離れた形状に設けられており、これらの間に前記突起４０を受容可能となっている。
【００１７】
次に、ベース１４の組み立て方法について説明する。
【００１８】
前記ベース１４の組み立ては、先ず、各ベース形成部材１７，１７を図６（Ａ）中左右方向の向きが相互に逆向きとなるように配置する。次に、第１の操作部２２の第２の湾曲片部２６からはみ出した部分が他方のパーツの第１の湾曲片部２５上に位置するように相互にベース形成部材１７を重ね合わせる。この状態で、相互に重なり合った綴じ足押さえ部２３と他方のベース形成部材１７の第２の横行部２１とを厚み方向に押圧することにより、綴じ足押さえ部２３が第２の横行部２１を抱き込んだ状態となって嵌合し、綴じ具１０の組み立てが完了する。この際、ベース形成部材１７，１７は、厚み方向にクリアランスを有して組み合っている。
【００１９】
このようにして組み立てられたベース１４は、各ベース形成部材１７を長手方向に沿って相対移動させることができ、当該相対移動によって各第１の操作部２２，２２及び各綴じ足押さえ部２３，２３を離間及び接近する方向に移動させることが可能となる。例えば、図５（Ａ）に示される状態で、左側の第１の操作部２２を右側の第１の操作部２２に接近する方向（図中右方向）に移動させた場合、右側の綴じ足押さえ部２３のみが右方向に移動し、各綴じ足押さえ部２３が相互に離間することとなる。また、図５（Ｂ）に示される状態で、各綴じ足押さえ部２３を接近させた場合には、前述した移動方向と逆方向に移動することとなるので、各第１の操作部２２が相互に離間することとなる。従って、各第１の操作部２２，２２及び各綴じ足押さえ部２３，２３は、各ベース形成部材１７，１７の相対移動によって相反する方向に移動するようになっている。
【００２０】
次に、本実施例における綴じ具１０の使用方法について説明する。
【００２１】
ここでは、各ベース形成部材１７は、図４に示されるように、各通路１４Ａを開放した相対位置に設定され、書類Ｐの綴じ穴Ｐ１，Ｐ１に綴じ足１３，１３が挿入されているものとする。この状態において書類Ｐを綴じ込む場合、各通路１４Ａ，１４Ａに綴じ足１３，１３をそれぞれ挿通させてベース１４を書類Ｐ上に乗せ、相互に離れた位置にある各第１の操作部２２，２２に、例えば一方の手の親指と人差し指との二本指をあてがって相互に接近する方向に摘み操作する。これにより、各綴じ足押さえ部２３が離間する方向にスライド移動するとともに、各爪状突起３７が綴じ足押さえ部２３に接近し、綴じ足１３が上面部４４の下面側に潜り込むように倒伏することとなる。最終的に、各綴じ足１３は、上面部４４と凹溝３４の底部とに挟み込まれて綴じ足押さえ部２３により押さえ付けられ、綴じ足１３の綴じ込み姿勢が維持されることとなる。この際、図１５及び図１６に示されるように、綴じ足押さえ部２３における屈曲部４７の図１６中右側部分は、前記突起４０を乗り越えて垂直面４０Ａに係り合う。すなわち、綴じ足１３の起き上がろうとする反発力により綴じ足押さえ部２３が上方に押し上げられ、屈曲部４７の図１６中右側の内側端面４７Ａと垂直面４０Ａとが相互に直面し、各ベース形成部材１７のスライド移動を規制することとなる。
【００２２】
この一方、前記綴じ足１３の綴じ込み姿勢を解除する場合には、前記二本指で綴じ足押さえ部２３を相互に接近するように摘み操作すればよい。この際、綴じ足押さえ部２３に上方よりいくらかの圧力が付与されるので、当該綴じ足押さえ部２３が押し下げられて屈曲部４７の内側端面４７Ａと垂直面４０Ａとが直面しなくなり、これらの係り合いが解除される。これにより、各通路１４Ａが開放し、綴じ足押さえ部２３による押さえ付けが解除されて初期位置に復帰することとなる。ここで、屈曲部４７は、各突起２９に突き当って隆起部３０上に位置するので、通路１４Ａを開放する前記初期位置が維持され、意図的な外力を付与しない限り通路１４Ａを塞ぐことはない。
【００２３】
従って、このような実施例によれば、各第１の操作部２２，２２への相互接近操作と、各綴じ足押さえ部２３，１８への相互接近操作とを交互に行うことにより、綴じ足１３の押さえ付け及びその解除を簡易且つ迅速に行うことができる。また、通路１４Ａをスロット状に設けたので、綴じ足１３を挿入し易くすることができる。更に、ベース１４は、略同一形状となる二つのベース形成部材１７，１７により構成されているので、当該ベース形成部材１７を形成するための成形金型を単一のものとすることができ、部材点数の削減や製造工程の簡略化を十分に図ることが可能となる。
【００２４】
なお、前記綴じ足１３及び挿通路１４の形成数は、図示構成例に限定されるものでなく、必要に応じて増加させてもよい。要するに、本発明は、ベース形成部材１７を相対移動可能に組み合わせるとともに、各第１の操作部２２及び綴じ足押さえ部２３を接近させる操作によって綴じ足１３の押さえ付け及び当該押さえ付けの解除を可能に設けられていれば足りる。
【００２５】
また、前記各屈曲部４７，４７を図１５中左右に離れた形状に設けることなく一体としてもよい。この際、垂直面４０Ａに直面する端面が屈曲部４７の図１６中左側の外側端面となるように突起４０の位置を変更することにより、垂直面４０Ａと屈曲部４７とが係り合い可能となる。
【００２６】
更に、前記綴じ足１３の綴じ込み姿勢を解除する作業は、各綴じ足押さえ部２３，２３を相互に接近させる操作に代えて、各第１の操作部２２，２２を相互に離間させることにより、各綴じ足押さえ部２３，２３を接近させてもよい。
【００２７】
【発明の効果】
以上説明したように、本発明における各ベース形成部材は、これらを相対移動させたときに移動する少なくとも一個の操作部をそれぞれ備え、これら操作部を所定操作することで綴じ足に押さえ付け及びその解除を可能としたから、例えば、各ベース形成部材の長手方向二箇所に操作部を設けた場合には、綴じ込み及びその解除作業を摘み操作のみによって行うことができ、これにより、書類の綴じ込み及びその解除を容易且つ迅速に行うことができ、各操作部に操作力を付与し易くなる。
【００２８】
また、各ベース形成部材は、これらの相対移動時に移動する第１及び第２の操作部をそれぞれ備え、第１の操作部を相互に接近させたときに、第２の操作部が相互に離間して綴じ足を押さえ付ける一方、第２の操作部を接近させたときに、押さえ付けを解除すると同時に第１の操作部が離間する構成としたから、操作力を付与する方向を常に接近する方向に保つことができ、これによっても、操作の簡略化を図って取扱性を良好に維持することが可能となる。
【００２９】
更に、各ベース形成部材を共通した形状に設けるとともに、これらベース形成部材を組み合わせることによってベースを形成した場合には、ベースを構成する部品の種類を少なくして構造の簡略化を図ることができ、コスト低減を達成することが可能となる。
【図面の簡単な説明】
【図１】本実施例に係る綴じ具が適用されたファイルの概略斜視図。
【図２】前記綴じ具の拡大斜視図。
【図３】図１のＡ−Ａ線に沿う断面図。
【図４】綴じ足を倒伏する直前状態を示す図３と同様の断面図。
【図５】（Ａ）は、綴じ足押さえ部を接近させた状態のベースの平面図、（Ｂ）は、第１の操作部を接近させた状態のベースの平面図。
【図６】（Ａ）は、ベース形成部材の平面図、（Ｂ）は、図６（Ａ）の底面図。
【図７】図６（Ａ）のＢ−Ｂ線に沿う矢視拡大断面図。
【図８】図６（Ａ）のＣ−Ｃ線に沿う矢視拡大断面図。
【図９】（Ａ）は、図６（Ａ）の正面図、（Ｂ）は、図６（Ａ）の背面図。
【図１０】図６（Ａ）のＤ−Ｄ線に沿う矢視断面図。
【図１１】図６（Ａ）のＥ−Ｅ線に沿う矢視拡大断面図。
【図１２】図６（Ａ）のＦ−Ｆ線に沿う矢視拡大断面図。
【図１３】図６（Ａ）のＧ−Ｇ線に沿う矢視拡大断面図。
【図１４】図５（Ａ）のＨ−Ｈ線に沿う矢視拡大断面図。
【図１５】図５（Ａ）の部分拡大正面図。
【図１６】図５（Ｂ）の部分拡大正面図。
【図１７】図６（Ａ）のＩ−Ｉ線に沿う矢視拡大断面図。
【図１８】図５（Ａ）のＪ−Ｊ線に沿う矢視拡大断面図。
【符号の説明】
１０  綴じ具
１３  綴じ足
１４  ベース
１４Ａ  通路
１７  ベース形成部材
２２  第１の操作部
２３  綴じ足押さえ部（第２の操作部）
【図１】
0004380078.tif 000002
【図２】
0004380078.tif 000003
【図３】
0004380078.tif 000004
【図４】
0004380078.tif 000005
【図５】
0004380078.tif 000006
【図６】
0004380078.tif 000007
【図７】
0004380078.tif 000008
【図８】
0004380078.tif 000009
【図９】
0004380078.tif 000010
【図１０】
0004380078.tif 000011
【図１１】
0004380078.tif 000012
【図１２】
0004380078.tif 000013
【図１３】
0004380078.tif 000014
【図１４】
0004380078.tif 000015
【図１５】
0004380078.tif 000016
【図１６】
0004380078.tif 000017
【図１７】
0004380078.tif 000018
【図１８】
0004380078.tif 000019